(57)【要約】【課題】身体の特定部位を簡便かつ安全に洗浄できるようにし、また簡便な操作をするだけで塗布対象毛の部位に対して適度な濃さの塗布液を塗布できるブラシ具を提案する。【解決手段】ブラシ具は、ブラシ体を有するブラシ部と、ブラシ部を有し指で持つことが可能な握り軸とを備え、ブラシ体は、植毛ブラシ、または刷毛ブラシであり、ブラシ軸方向に延びてブラシ体を区分けして仕切る仕切り板と、ブラシ軸方向に延びる開口部と、この開口部を形成する側壁を含むブラシカバーと、を有し、側壁は、開口部から突出しブラシ軸方向に列になるように延びるブラシ体を仕切り板の方向へ寄せる。【選択図】図１
2011156198.tif 000002
【特許請求の範囲】
【請求項１】
ブラシ体を有するブラシ部と、
前記ブラシ部を有し指で持つことが可能な握り軸とを備え、
前記ブラシ体は、植毛ブラシ、または刷毛ブラシであり、
ブラシ軸方向に延びて前記ブラシ体を区分けして仕切る仕切り板と、
ブラシ軸方向に延びる開口部と、この開口部を形成する側壁を含むブラシカバーと、を有し、
前記側壁は、前記開口部から突出しブラシ軸方向に列になるように延びる前記ブラシ体を前記仕切り板の方向へ寄せることを特徴とするブラシ具。
【請求項２】
前記ブラシ部に前記仕切り板を一体に成形し、
前記ブラシカバーを前記ブラシ部に取り付け、
前記ブラシカバーの取り付けにより前記ブラシ体を前記側壁によって前記仕切り板の方向へ寄せることを特徴とする請求項１に記載のブラシ具。
【請求項３】
前記仕切り板と前記ブラシカバーとを一体に成形し、
前記ブラシカバーを前記ブラシ部に取り付け、
前記ブラシカバーの取り付けにより、
前記仕切り板は、前記ブラシ体を仕切ると共に、前記側壁は、前記ブラシ体を前記仕切り板の方向へ寄せることを特徴とする請求項１に記載のブラシ具。
【請求項４】
前記仕切り板を前記ブラシ部のブラシ軸方向の中心位置に配置し、
前記仕切り板により前記ブラシ体に隙間を形成し、
前記ブラシ体を区分けしたことを特徴とする請求項１乃至請求項３のいずれか１項に記載のブラシ具。
【請求項５】
前記ブラシ部と前記ブラシカバーとに螺旋状のコイルを設け、
前記螺旋状のコイルを、前記ブラシ体に螺旋状に配置したことを特徴とする請求項１乃至請求項４のいずれか１項に記載のブラシ具。
【請求項６】
ブラシ体を有するブラシ部と、
前記ブラシ部を有し指で持つことが可能な握り軸とを備え、
前記ブラシ体は、捩りブラシであり、
ブラシ軸方向に延びる開口部と、この開口部を形成する側壁を含むブラシカバーを有し、
前記側壁は、前記開口部から突出する前記ブラシ体をブラシ軸方向に列になるように寄せることを特徴とするブラシ具。
【請求項７】
ブラシ軸方向に延びて前記ブラシ体を区分けして仕切る仕切り板を有し、
前記仕切り板を前記握り軸に一体に成形し、
前記ブラシ部を前記握り軸に取り付け、
前記ブラシカバーの取り付けにより、
前記側壁は、前記開口部から突出する前記ブラシ体をブラシ軸方向に列になると共に、前記仕切り板の方向へ寄せることを特徴とする請求項６に記載のブラシ具。
【請求項８】
前記ブラシ部を前記握り軸に取り付け、
前記ブラシカバーの取り付けにより、
前記側壁は、前記開口部から突出する前記ブラシ体をブラシ軸方向に列になるように寄せることを特徴とする請求項６に記載のブラシ具。    
【請求項９】
前記ブラシカバーを前記ブラシ部に取り付け、
前記ブラシカバーの取り付けにより、
前記側壁は、前記開口部から突出する前記ブラシ体をブラシ軸方向に列になるように寄せ、
前記ブラシ部及び前記ブラシカバーを前記握り軸に取り付けたことを特徴とすることを特徴とする請求項６に記載のブラシ具。
【請求項１０】
前記ブラシ体を前記握り軸に取り付け、
さらに、前記ブラシカバーを前記握り軸に取り付け、
前記ブラシカバーの取り付けにより、
前記側壁は、前記開口部から突出する前記ブラシ体をブラシ軸方向に列になるように寄せることを特徴とすることを特徴とする請求項６に記載のブラシ具。
【請求項１１】
ブラシ軸方向に延びて前記ブラシ体を区分けして仕切る仕切り板を有することを特徴とする請求項６、または請求項８乃至請求項１０のいずれか１項に記載のブラシ具。
【請求項１２】
前記仕切り板は、櫛状であることを特徴とする請求項１１に記載のブラシ具。
【請求項１３】
前記側壁は、櫛状であることを特徴とする請求項６乃至請求項１１のいずれか１項に記載のブラシ具。
【請求項１４】
前記ブラシカバーは、外周に周方向の溝、または周方向の突条を有することを特徴とする請求項６乃至請求項１３のいずれか１項に記載のブラシ具。
【請求項１５】
前記握り軸の前記ブラシ部側に、液が前記握り軸側に流れることを規制するための液止め部を設けたことを特徴とする請求項１乃至請求項１４のいずれか１項に記載のブラシ具。
【請求項１６】
前記液止め部と前記ブラシカバーとを一体に成形したことを特徴とする請求項１５に記載のブラシ具。
【請求項１７】
前記ブラシ部と前記ブラシカバーとに螺旋状のコイルを設け、
前記螺旋状のコイルを前記ブラシ体に螺旋状に配置したことを特徴とする請求項６乃至請求項６のいずれか１項に記載のブラシ具。
【請求項１８】
前記ブラシカバーは、前記ブラシ部に着脱可能であることを特徴とする請求項１乃至請求項１７のいずれか１項に記載のブラシ具。
【発明の詳細な説明】
【技術分野】
【０００１】
この発明は、特に人の目の周囲に塗布された化粧用の塗布液などを簡便に洗浄でき、また特に塗布液を塗布対象毛に塗布する場合に適用して好適なブラシ具に関するものである。
【背景技術】
【０００２】
例えば、化粧のために目の周囲に塗布される塗布液として、従来から、まつ毛についてマスカラ液を塗布したり、目蓋にアイラインを書いたりすることが行われている（特許文献１）。
【０００３】
また、中心線芯材にブラシ毛材を植毛したブラシ型のものや、断面円形の棒状シャフトの外周面に多数の横溝を穿設した溝型のものや、櫛歯を多数配列した櫛型のものや、これらを組合せたものが種々提案されている（特許文献２及び３参照）。
【０００４】
さらに、これらの化粧用の塗布液を落す手法としては、化粧用塗布液専用に用意された除去液を綿棒やティッシュペーパーに含ませてまつ毛や目蓋を擦ったり、挟んだりすることにより、化粧用塗布液を拭い取る方法を用いたり、クレンジングクリームを塗ってコットンで拭き取ったり、洗顔をする際に目の周囲に石鹸を塗って指で擦りながら湯又は水で洗い流すような手法を用いている。
【先行技術文献】
【特許文献】
【０００５】
【特許文献１】特開２００９−６０９９８号公報
【特許文献２】実公平４−３３７９０号公報
【特許文献３】実公平４−３６７３６号公報
【発明の概要】
【発明が解決しようとする課題】
【０００６】
このような従来の手法は、塗布液を除去することにまつ毛を擦ったり挟んだりすることになるので、結局まつ毛が抜けたり、折れたり、曲ったりすることによりまつ毛を傷めるような結果になっている。
【０００７】
実際上、まつ毛は髪の毛のように毛量が多くなく、極めて少ないのであるから、抜けたり折れたりさせるようなことはできるだけ回避することが望ましい。
【０００８】
また、塗布対象毛に塗布液を塗布しようとする場合、塗布対象毛の部位について、濃く塗布したい部位と、薄く塗布したい部位とがあり、例えばまつ毛の根元にマスカラを濃く塗布すると共に、先端に行くに従って薄くするといったことが簡便にできれば、化粧後の見栄えや化粧くずれの予防などの化粧効果を一段と向上させることができると考えられる。
【０００９】
この発明は、以上の点を考慮してなされたもので、身体の特定部位を簡便かつ安全に洗浄できるようにし、また簡便な操作をするだけで塗布対象毛の部位に対して適度な濃さの塗布液を塗布できるようにしたブラシ具を提案することを目的とする。
【課題を解決するための手段】
【００１０】
前記課題を解決し、かつ目的を達成するために、この発明は、以下のように構成した。      
【００１１】
請求項１の記載の発明は、ブラシ体を有するブラシ部と、
前記ブラシ部を有し指で持つことが可能な握り軸とを備え、
前記ブラシ体は、植毛ブラシ、または刷毛ブラシであり、
ブラシ軸方向に延びて前記ブラシ体を区分けして仕切る仕切り板と、
ブラシ軸方向に延びる開口部と、この開口部を形成する側壁を含むブラシカバーと、を有し、
前記側壁は、前記開口部から突出しブラシ軸方向に列になるように延びる前記ブラシ体を前記仕切り板の方向へ寄せることを特徴とするブラシ具である。
【００１２】
請求項２の記載の発明は、前記ブラシ部に前記仕切り板を一体に成形し、
前記ブラシカバーを前記ブラシ部に取り付け、
前記ブラシカバーの取り付けにより前記ブラシ体を前記側壁によって前記仕切り板の方向へ寄せることを特徴とする請求項１に記載のブラシ具である。
【００１３】
請求項３の記載の発明は、前記仕切り板と前記ブラシカバーとを一体に成形し、
前記ブラシカバーを前記ブラシ部に取り付け、
前記ブラシカバーの取り付けにより、
前記仕切り板は、前記ブラシ体を仕切ると共に、前記側壁は、前記ブラシ体を前記仕切り板の方向へ寄せることを特徴とする請求項１に記載のブラシ具である。
【００１４】
請求項４の記載の発明は、前記仕切り板を前記ブラシ部のブラシ軸方向の中心位置に配置し、
前記仕切り板により前記ブラシ体に隙間を形成し、
前記ブラシ体を区分けしたことを特徴とする請求項１乃至請求項３のいずれか１項に記載のブラシ具である。
【００１５】
請求項５の記載の発明は、前記ブラシ部と前記ブラシカバーとに螺旋状のコイルを設け、
前記螺旋状のコイルを、前記ブラシ体に螺旋状に配置したことを特徴とする請求項１乃至請求項４のいずれか１項に記載のブラシ具である。
【００１６】
請求項６の記載の発明は、ブラシ体を有するブラシ部と、
前記ブラシ部を有し指で持つことが可能な握り軸とを備え、
前記ブラシ体は、捩りブラシであり、
ブラシ軸方向に延びる開口部と、この開口部を形成する側壁を含むブラシカバーを有し、
前記側壁は、前記開口部から突出する前記ブラシ体をブラシ軸方向に列になるように寄せることを特徴とするブラシ具である。
【００１７】
請求項７の記載の発明は、ブラシ軸方向に延びて前記ブラシ体を区分けして仕切る仕切り板を有し、
前記仕切り板を前記握り軸に一体に成形し、
前記ブラシ部を前記握り軸に取り付け、
前記ブラシカバーの取り付けにより、
前記側壁は、前記開口部から突出する前記ブラシ体をブラシ軸方向に列になると共に、前記仕切り板の方向へ寄せることを特徴とする請求項６に記載のブラシ具である。
【００１８】
請求項８の記載の発明は、前記ブラシ部を前記握り軸に取り付け、  前記ブラシカバーの取り付けにより、
前記側壁は、前記開口部から突出する前記ブラシ体をブラシ軸方向に列になるように寄せることを特徴とする請求項６に記載のブラシ具である。
【００１９】
請求項９の記載の発明は、前記ブラシカバーを前記ブラシ部に取り付け、
前記ブラシカバーの取り付けにより、
前記側壁は、前記開口部から突出する前記ブラシ体をブラシ軸方向に列になるように寄せ、
前記ブラシ部及び前記ブラシカバーを前記握り軸に取り付けたことを特徴とすることを特徴とする請求項６に記載のブラシ具である。
【００２０】
請求項１０の記載の発明は、前記ブラシ体を前記握り軸に取り付け、
さらに、前記ブラシカバーを前記握り軸に取り付け、
前記ブラシカバーの取り付けにより、
前記側壁は、前記開口部から突出する前記ブラシ体をブラシ軸方向に列になるように寄せることを特徴とすることを特徴とする請求項６に記載のブラシ具である。
【００２１】
請求項１１の記載の発明は、ブラシ軸方向に延びて前記ブラシ体を区分けして仕切る仕切り板を有することを特徴とする請求項６、または請求項８乃至請求項１０のいずれか１項に記載のブラシ具である。
【００２２】
請求項１２の記載の発明は、前記仕切り板は、櫛状であることを特徴とする請求項１１に記載のブラシ具である。
【００２３】
請求項１３の記載の発明は、前記側壁は、櫛状であることを特徴とする請求項６乃至請求項１１のいずれか１項に記載のブラシ具である。
【００２４】
請求項１４の記載の発明は、前記ブラシカバーは、外周に周方向の溝、または周方向の突条を有することを特徴とする請求項６乃至請求項１３のいずれか１項に記載のブラシ具である。
【００２５】
請求項１５の記載の発明は、前記握り軸の前記ブラシ部側に、液が前記握り軸側に流れることを規制するための液止め部を設けたことを特徴とする請求項１乃至請求項１４のいずれか１項に記載のブラシ具である。
【００２６】
請求項１６の記載の発明は、前記液止め部と前記ブラシカバーとを一体に成形したことを特徴とする請求項１５に記載のブラシ具である。
【００２７】
請求項１７の記載の発明は、前記ブラシ部と前記ブラシカバーとに螺旋状のコイルを設け、
前記螺旋状のコイルを前記ブラシ体に螺旋状に配置したことを特徴とする請求項６乃至請求項６のいずれか１項に記載のブラシ具である。
【００２８】
請求項１８の記載の発明は、前記ブラシカバーは、前記ブラシ部に着脱可能であることを特徴とする請求項１乃至請求項１７のいずれか１項に記載のブラシ具である。
【発明の効果】
【００２９】
前記構成により、この発明は、以下のような効果を有する。
【００３０】
請求項１に記載の発明では、ブラシ体は、植毛ブラシ、または刷毛ブラシであり、仕切り板が、ブラシ軸方向に延びてブラシ体を区分けして仕切り、ブラシカバーの側壁が開口部から突出しブラシ軸方向に列になるように延びるブラシ体を仕切り板の方向へ寄せ、ブラシカバーの側壁と仕切り板とでブラシ体がそれ以上倒れないように支持され、洗浄時や塗布時に液が飛散することを防止できる。また、仕切り板がブラシ軸方向に延びてブラシ体を区分けして仕切ることから、洗浄や塗布が複数段になり、確実に洗浄したり、塗布することができる。
【００３１】
請求項２に記載の発明では、ブラシ部に仕切り板を一体に成形し、仕切り板をブラシ部の正確な位置に配置することができ、ブラシカバーをブラシ部に取り付け、このブラシカバーの取り付けによりブラシ体を側壁によって、容易に、かつ正確にブラシ体を仕切り板の方向へ寄せることができる。
【００３２】
請求項３に記載の発明では、仕切り板とブラシカバーとを一体に成形し、簡単にブラシカバーをブラシ部に取り付けることができる。また、ブラシカバーの取り付けにより、容易に、仕切り板は、ブラシ体を仕切ると共に、側壁は、ブラシ体を仕切り板の方向へ寄せることができる。
【００３３】
請求項４に記載の発明では、仕切り板をブラシ部のブラシ軸方向の中心位置に配置し、仕切り板によりブラシ体に隙間を形成し、ブラシ体を区分けしたことで、洗浄や塗布が複数段になり、確実に洗浄したり、塗布することができる。
【００３４】
請求項５に記載の発明では、ブラシ部とブラシカバーとに螺旋状のコイルを設け、螺旋状のコイルを、ブラシ体に螺旋状に配置したことで、洗浄や塗布を行う際に、ブラシ体の液が螺旋状に流れて確実に洗浄したり、塗布することができる。
【００３５】
請求項６に記載の発明では、ブラシ体は、捩りブラシであり、ブラシカバーの側壁は、開口部から突出するブラシ体をブラシ軸方向に列になるように寄せることから、ブラシ体がそれ以上倒れないように支持され、洗浄時や塗布時に液が飛散することを防止できる。また、ブラシ体がブラシ軸方向に延びることから、確実に洗浄したり、塗布することができる。
【００３６】
請求項７に記載の発明では、ブラシ軸方向に延びて前記ブラシ体を区分けして仕切る仕切り板を有し、仕切り板を握り軸に一体に成形したから、仕切り板を正確な位置に配置することができる。また、ブラシ部を握り軸に取り付け、ブラシカバーの取り付けにより、容易に、側壁は、開口部から突出するブラシ体をブラシ軸方向に列になると共に、仕切り板の方向へ寄せることができ、洗浄や塗布が複数段になり、確実に洗浄したり、塗布することができる。
【００３７】
請求項８に記載の発明では、ブラシ部を握り軸に取り付け、ブラシカバーの取り付けにより、容易に、側壁は、開口部から突出するブラシ体をブラシ軸方向に列になるように寄せることができる。
【００３８】
請求項９に記載の発明では、ブラシカバーをブラシ部に取り付け、このブラシカバーの取り付けにより、容易に、側壁は、開口部から突出するブラシ体をブラシ軸方向に列になるように寄せ、ブラシ部及びブラシカバーを握り軸に取り付けることができる。
【００３９】
請求項１０に記載の発明では、ブラシ体を握り軸に取り付け、さらに、ブラシカバーを握り軸に取り付け、このブラシカバーの取り付けにより、容易に、側壁は、開口部から突出するブラシ体をブラシ軸方向に列になるように寄せることができる。
【００４０】
請求項１１に記載の発明では、仕切り板がブラシ軸方向に延びてブラシ体を区分けして仕切ることで、洗浄や塗布が複数段になり、確実に洗浄したり、塗布することができる。
【００４１】
請求項１２に記載の発明では、仕切り板は、櫛状であり、洗浄時や塗布時に仕切り板によってすき、確実に洗浄したり、塗布することができる。
【００４２】
請求項１３に記載の発明では、側壁は、櫛状であり、洗浄時や塗布時に側壁によってすき、確実に洗浄したり、塗布することができる。
【００４３】
請求項１４に記載の発明では、洗浄時や塗布時にブラシカバーの外周の周方向の溝、または周方向の突条によってすき、確実に洗浄したり、塗布することができる。
【００４４】
請求項１５に記載の発明では、液止め部によって液が握り軸側に流れることを規制することができる。
【００４５】
請求項１６に記載の発明では、液止め部とブラシカバーとを一体に成形したことで、簡単な構造で、確実に液が握り軸側に流れることを規制することができる。
【００４６】
請求項１７に記載の発明では、螺旋状のコイルをブラシ体に螺旋状に配置することで、洗浄や塗布を行う際に、ブラシ体の液が螺旋状に流れて確実に洗浄したり、塗布することができる。
【００４７】
請求項１８の記載の発明では、ブラシカバーは、ブラシ部に着脱可能であり、ブラシカバーの内側やブラシ体自体が汚れた時には、ブラシカバーをブラシ部から取り外して容易にブラシカバーやブラシ体を洗浄することができる。
【図面の簡単な説明】
【００４８】
【図１】第１の実施の形態のブラシ具を示し、図１（ａ）はブラシ部の側面図、図１（ｂ）はブラシ部の底面図、図１（ｃ）は図１（ａ）の（ｃ）−（ｃ）の断面図である。
【図２】第１の実施の形態のブラシ体を設けた状態のブラシ部を示し、図２（ａ）はブラシ部の平面図、図２（ｂ）は図２（ａ）の（ｂ）−（ｂ）の断面図である。
【図３】第１の実施の形態のブラシカバーを示し、図３（ａ）はブラシカバーの平面図、図３（ｂ）はブラシカバーの一部を破断した側面図、図３（ｃ）はブラシカバーの底面図、図３（ｄ）は図３（ａ）の（ｄ）−（ｄ）の断面図である。
【図４】第２の実施の形態のブラシ体を設けた状態のブラシ部を示し、図４（ａ）はブラシ部の平面図、図４（ｂ）は図４（ａ）の（ｂ）−（ｂ）の断面図である。
【図５】第２の実施の形態のブラシカバーを示し、図５（ａ）はブラシカバーの平面図、図５（ｂ）はブラシカバーの一部を破断した側面図、図５（ｃ）はブラシカバーの底面図、図５（ｄ）は図５（ａ）の（ｄ）−（ｄ）の断面図である。
【図６】第３の実施の形態のブラシ具を示し、図６（ａ）はブラシ体の先端が隙間なく寄せられた状態の断面図、図６（ｂ）はブラシ体の先端を交差するように寄せられた状態の断面図、図６（ｃ）はブラシ体の先端を交差させて隙間を設けるように寄せられた状態の断面図である。
【図７】第４の実施の形態のブラシ具を示し、図７（ａ）は螺旋状のコイルをブラシ体に螺旋状に配置した状態の平面図、図７（ｂ）は螺旋状のコイルをブラシ体に螺旋状に配置する前の状態の平面図である。
【図８】第５の実施の形態のブラシ具を示し、図８（ａ）はブラシカバーを設けたブラシ部の側面図、図８（ｂ）はブラシカバーを設けたブラシ部のブラシ軸方向の断面図、図８（ｃ）は図８（ａ）の（ｃ）−（ｃ）の断面図である。
【図９】第５の実施の形態のブラシ部にブラシカバーを設ける状態を示し、図９（ａ）はブラシ部にブラシカバーを挿入する状態の側面図、図９（ｂ）は図９（ａ）の（ｂ）−（ｂ）の断面図である。
【図１０】第５の実施の形態のブラシカバーの断面図である。
【図１１】第６の実施の形態のブラシ具を示し、図１１（ａ）はブラシカバーを設けたブラシ部の側面図、図１１（ｂ）は図１１（ａ）の（ｂ）−（ｂ）の断面図である。
【図１２】第６の実施の形態のブラシ部にブラシカバーを設ける状態を示し、図１２（ａ）はブラシ部にブラシカバーを設ける前の状態を示す側面図、図１２（ｂ）はブラシ部にブラシカバーを設けた後の状態を示す側面図である。
【図１３】第６の実施の形態のブラシカバーを示し、図１３（ａ）はブラシカバーの側面図、図１３（ｂ）はブラシカバーの平面図、図１３（ｃ）は図１３（ａ）の（ｃ）−（ｃ）の断面図である。
【図１４】第７の実施の形態のブラシ具を示し、図１４（ａ）はブラシカバーを設けたブラシ部の側面図、図１４（ｂ）は図１４（ａ）の（ｂ）−（ｂ）の断面図、図１４（ｃ）は把持体にブラシ部を設ける状態の側面図、図１４（ｄ）はブラシ部にブラシカバーを設ける状態の側面図である。
【図１５】第８の実施の形態のブラシ具を示し、図１５（ａ）はブラシカバーを設けたブラシ部の側面図、図１５（ｂ）は図１５（ａ）の（ｂ）−（ｂ）の断面図、図１５（ｃ）はブラシ部にブラシカバーを設ける状態の側面図である。
【図１６】第９の実施の形態のブラシ具を示し、図１６（ａ）はブラシ部をブラシカバーに設けるブラシ部の側面図、図１６（ｂ）は組み付けたブラシ部とブラシカバーを摘み軸に設ける側面図である。
【図１７】第１０の実施の形態のブラシ具を示し、図１７（ａ）はブラシ部とブラシカバーとを一体成形する実施の形態の側面図、図１７（ｂ）はブラシ部とブラシカバーとを一体成形する他の実施の形態の側面図である。
【図１８】第１１の実施の形態のブラシ具の放射状のブラシ体のブラシ部をブラシカバーに取り付ける実施の形態を示す図である。
【図１９】第１１の実施の形態のブラシ具の放射状のブラシ体の一部を直線状に切断したブラシ部をブラシカバーに取り付ける実施の形態を示す図である。
【図２０】第１１の実施の形態のブラシ具の放射状のブラシ体の一部をＵ字状に切断したブラシ部をブラシカバーに取り付ける実施の形態を示す図である。
【図２１】第１１の実施の形態のブラシ具の放射状のブラシ体の一部を３方向に直線状に切断したブラシ部をブラシカバーに取り付ける実施の形態を示す図である。
【図２２】第１１の実施の形態のブラシ具の放射状のブラシ体の一部を三角形状に切断したブラシ部をブラシカバーに取り付ける実施の形態を示す図である。
【図２３】第１２の実施の形態のブラシ具を示し、図２３（ａ）は螺旋状のコイルをブラシ体に螺旋状に配置した状態の平面図、図２３（ｂ）は螺旋状のコイルをブラシ体に螺旋状に配置する前の状態の平面図である。
【発明を実施するための形態】
【００４９】
以下、この発明のブラシ具の実施の形態について説明する。この実施の形態はブラシ具の好ましい形態を示すものであるが、この発明はこれに限定されない。
［第１の実施の形態］
（ブラシ具の構成）
この第１の実施の形態のブラシ具を、図１乃至図３に基づいて説明する。この実施の形態のブラシ具１は、ブラシ部２と、握り軸３と、ブラシカバー４とを備え、ブラシ部２と握り軸３は樹脂で一体成形され、ブラシカバー４は樹脂でブラシ部２及び把持体３とは別体成形されるが、これらはアルミニウム合金などの軽金属、あるいは木材などで成形してもよい。
【００５０】
ブラシ部２は、ブラシ部本体２ａがブラシ軸方向に延びて板状に細長く形成され、このブラシ部本体２ａの基部２ｂが握り軸３の先端部３ａに連続して形成されている。この基部２ｂの先端部には、支持部２ｃが四角の板状に形成されている。
【００５１】
ブラシ部本体２ａの中央部には、仕切り板２ｄが一体に形成され、この仕切り板２ｄはブラシ軸方向に延びてブラシ部本体２ａを２区分けして仕切る。この仕切り板２ｄは、支持部２ｃからブラシ部本体２ａの先端までの長さに形成され、仕切り板２ｄのブラシ軸方向に対して直交する方向の断面形状は、三角形状で先端が尖がっているが、先端は平面、または半円形状でもよい。
【００５２】
ブラシ部本体２ａの仕切り板２ｄによって区分けされた両側には、植毛穴２ｅが２列並列に形成されている。この植毛穴２ｅには、ブラシ体２ｆが植毛され、このブラシ体２ｆは、植毛ブラシ、または刷毛ブラシである。植毛されたブラシ体２ｆの高さＨ１は、仕切り板２ｄの高さＨ２より高くなっており、これによって仕切り板２ｄがブラシ体２ｆを区分けして仕切る。
【００５３】
ブラシ部本体２ａの底部には、係合リブ２ｇが支持部２ｃの中央から細幅でブラシ部本体２ａの長さの半分程度まで伸ばして形成されている。係合リブ２ｇの両側には、係合突起２ｇ１，２ｇ１が形成され、この係合リブ２ｇと係合２ｇ１，２ｇ１はブラシカバー４を取り付けるために形成されている。
【００５４】
握り軸３は、軸本体３ｂが軸状に長く形成され、例えばブラシ部２の３〜６倍の長さに形成され、指で容易に持つことが可能になっている。握り軸３のブラシ部側には、液止め部３ｃが一体に形成して設けられ、この液止め部３ｃは液が握り軸側に流れることを規制する。この実施の形態では、液止め部３ｃを握り軸３のブラシ部側に一体に形成しているが、液止め部３ｃを弾性部材で成形し、握り軸３に嵌め込むようにしてもよい。
【００５５】
ブラシカバー４は、カバー本体４ａが樹脂でブラシ部２に取り付けるような形状に一体成形されるが、ゴム、アルミニウム合金などの軽金属、あるいは木材などで成形してもよく、ブラシ軸方向に延びる開口部４ａ１０と、この開口部４ａ１０を形成する側壁４ａ１を有する。
【００５６】
このカバー本体４ａは、ブラシ部２の周辺を囲む形状に形成され、カバー本体４ａの側壁４ａ１には一方側に挿入開口４ａ２が形成されている。この側壁４ａ１の先端部には、突起部４ａ３が形成され、この突起部４ａ３の先端部は、側壁４ａ１の内壁より幅Ｄ１内側に位置している。この実施の形態の突起部４ａ３は、突起部４ａ３の内側面が側壁４ａ１の内壁面と平行に形成され、外側面が傾斜している。
【００５７】
カバー本体４ａには、挿入開口４ａ２側から係合溝４ａ４が係合リブ２ｇに係合する形状に形成され、この係合溝４ａ４に係合凹み４ａ５，４ａ５が係合突起２ｇ１，２ｇ１に係合する形状に形成されている。
【００５８】
ブラシカバー４は、カバー本体４ａの挿入開口４ａ２側をブラシ部２のブラシ部本体２ａの先端側にあてがい、ブラシカバー４をブラシ部２に挿入するように押し込むと、カバー本体４ａがブラシ部本体２ａに入り込む。この入り込むことで、カバー本体４ａの係合溝４ａ４がブラシ部本体２ａの係合リブ２ｇに係合し、さらに係合溝４ａ４の係合凹み４ａ５，４ａ５が係合突起２ｇ１，２ｇ１に係合し、ブラシカバー４がブラシ部２から抜けないように取り付けられる。
【００５９】
そして、ブラシカバー４がブラシ部２に取り付けられると、図１（ｃ）に示すように、カバー本体４ａの側壁４ａ１の内壁面がブラシ部本体２ａの外壁面に当たり、側壁４ａ１の突起部４ａ３がブラシ体２ｆを仕切り板２ｄの方向へ寄せる。ブラシ体２ｆは、仕切り板２ｄの方向へ寄せられることで、その先端部２ｆ２はさらに仕切り板２ｄの方向へ寄せられる。仕切り板２ｄによって寄せられた２列のブラシ体２ｆの先端の幅Ｗ１は、根元の幅Ｗ２より小さくなっており、先端が密集している。この密集した２列のブラシ体２ｆの先端の幅Ｗ１の間には、仕切り板２ｄによって隙間Ｓ１が形成され、仕切られたブラシ体２ｆは区分けされて複数段になっている。
【００６０】
このように、ブラシカバー４は、ブラシ軸方向に延びる開口部４ａ１０と、この開口部４ａ１０を形成する側壁４ａ１を含み、側壁４ａ１の突起部４ａ３は、開口部４ａ１０側に突出しブラシ軸方向に列になるように延びるブラシ体２ｆを仕切り板２ｄの方向へ寄せる。
【００６１】
（ブラシ具の使用）
この実施の形態のブラシ具１は、身体の特定部位を簡便かつ安全に洗浄できるようにし、また簡便な操作をするだけで塗布対象毛の部位に対して適度な濃さの塗布液を塗布できる。
【００６２】
このブラシ具１では、ブラシ体２ｆが植毛ブラシ、または刷毛ブラシであり、植毛ブラシは歯ブラシのように丸穴や溝に毛を植え込むものであり、刷毛ブラシは筆やハケのようにブラシ元部を接着剤や熱溶着で結束するものである。
【００６３】
仕切り板２ｄがブラシ軸方向に延びてブラシ体２ｆを２区分けして仕切り、ブラシ体２ｆは、開口部４ａ１０から突出しブラシ軸方向に列になるように延びるが、ブラシカバー４は、側壁４ａ１の突起部４ａ３がブラシ体２ｆを仕切り板２ｄの方向へ寄せている。
【００６４】
したがって、ブラシカバー４の側壁４ａ１に形成した突起部４ａ３と仕切り板２ｄとでブラシ体２ｆは、それ以上倒れないように支持されており、洗浄時や塗布時に液が飛散することを防止できる。また、仕切り板２ｄがブラシ軸方向に延びてブラシ体２ｆを区分けして仕切ることから、例えばまつ毛にブラシ軸方向を合わせて剥くようにして洗浄や塗布を行うと、このとき洗浄や塗布が仕切られたブラシ体２ｆによって複数段になり、確実に洗浄したり、塗布することができる。
【００６５】
また、ブラシカバー４がブラシ部２に着脱可能であり、ブラシカバー４の内側やブラシ体２ｆ自体が汚れた時には、ブラシカバー４をブラシ部２から取り外して容易にブラシカバー４やブラシ体２ｆを洗浄することができる。
【００６６】
また、この実施の形態では、ブラシ部２に仕切り板２ｄを一体に成形しており、仕切り板２ｄをブラシ部２の正確な位置に配置することができ、ブラシカバー４の取り付けにより容易に、かつ正確にブラシ体２ｆを仕切り板２ｄの方向へ寄せることができる。
【００６７】
また、２列のブラシ体２ｆの先端の幅Ｗ１は、根元の幅Ｗ２より小さくなっており、先端が密集しており、ブラシ体２ｆの先端側で確実に洗浄したり、塗布することができる。また、この実施の形態では、ブラシ体２ｆは４列であるが、２列でも、６列でも、８列などでもよい。また、仕切り板２ｄは、１個に限らず、４列、６列、８列などでは複数個設けてもよい。
［第２の実施の形態］
（ブラシ具の構成）
この第２の実施の形態のブラシ具を、図４及び図５に基づいて説明する。この実施の形態のブラシ具１は、図１乃至図３の実施の形態と同様に形成され、この同じ構成は同じ符号を付して説明を省略する。この実施の形態のブラシ具１は、ブラシ部２と握り軸３は樹脂で一体成形され、同様に構成されるが、仕切り板２ｄとブラシカバー４とを一体に成形している。
【００６８】
ブラシカバー４のカバー本体４ａは、樹脂でブラシ部２に取り付けるような形状に一体成形されるが、カバー本体４ａの幅方向の中央部に仕切り板４ｈが一体に、カバー本体４ａのブラシ軸方向の全長に形成されている。この仕切り板４ｈは、カバー本体４ａの内部に立ち上がるように形成され、仕切り板４ｈの高さＨ１０は、カバー本体４ａの側壁４ａ１の高さＨ１１とほぼ同じ高さに形成されているが、少し高めに形成してもよい。この仕切り板４ｈのブラシ軸方向に対して直交する方向の断面形状は、三角形状であり、先端が尖がっているが、先端が平面、または半円形状でもよい。
【００６９】
ブラシカバー４は、カバー本体４ａの挿入開口４ａ２側をブラシ部２のブラシ部本体２ａの先端側にあてがい、ブラシカバー４をブラシ部２に挿入するように押し込むと、カバー本体４ａがブラシ部本体２ａに入り込む。この入り込むことで、ブラシカバー４がブラシ部２から抜けないように取り付けられ、このブラシカバー４の取り付けにより仕切り板４ｈがブラシ軸方向に伸びてブラシ体２ｆを２区分けして仕切ると共に、ブラシカバー４により仕切られるブラシ体２ｆを側壁４ａ１の突起部４ａ３によって仕切り板４ｈの方向へ寄せる。
（ブラシ具の使用）
この実施の形態のブラシ具１は、図１乃至図３の実施の形態と同様に使用することができるが、仕切り板２ｄとブラシカバー４とを一体に成形しているから、ブラシカバー４の内側やブラシ体２ｆ自体が汚れた時には、ブラシカバー４をブラシ部２から取り外して容易にブラシカバー４やブラシ体２ｆを洗浄することができる。
【００７０】
また、この実施の形態では、仕切り板４ｈとブラシカバー４とを一体に成形しているから、仕切り板４ｈをブラシ部２の正確な位置に配置することができ、ブラシカバー４の取り付けにより容易に、かつ正確にブラシ体２ｆを仕切り板４ｈの方向へ寄せることができる。
［第３の実施の形態］
（ブラシ具の構成）
この第３の実施の形態のブラシ具を、図６に基づいて説明する。この実施の形態のブラシ具１は、図１乃至図３の実施の形態と同様に形成され、また図４及び図５の実施の形態と同様に形成されるが、この図６は図１乃至図３の実施の形態と同じ符号を付して説明する。
【００７１】
図６（ａ）の実際の形態では、ブラシカバー４がブラシ部２に取り付けられると、カバー本体４ａの側壁４ａ１の突起部４ａ３がブラシ体２ｆを仕切り板２ｄの方向へ寄せ、ブラシ体２ｆが仕切り板２ｄの方向へ寄せられるため、その先端部２ｆ２は、さらに仕切り板２ｄの方向へ寄せられ、ブラシ体２ｆの先端が隙間なく寄せられた状態になり、先端が密集していることでブラシ体２ｆの先端側で確実に洗浄したり、塗布することができる。
【００７２】
図６（ｂ）の実際の形態では、ブラシカバー４がブラシ部２に取り付けられると、カバー本体４ａの側壁４ａ１の突起部４ａ３が、図６（ａ）の実際の形態よりブラシカバー４の内側により大きく突出しているために、ブラシ体２ｆを仕切り板２ｄの方向へさらに寄せ、ブラシ体２ｆが仕切り板２ｄの方向へ寄せられるため、その先端部２ｆ２は、さらに仕切り板２ｄの方向へ寄せられ、ブラシ体２ｆの先端を交差するように寄せられた状態になり、先端が隙間Ｓ１０よって複数段になり、確実に洗浄したり、塗布することができる。
［第４の実施の形態］
（ブラシ具の構成）
この第４の実施の形態のブラシ具を、図７に基づいて説明する。この実施の形態のブラシ具１は、図１乃至図３の実施の形態と同様に形成されるから、同じ符号を付して詳細な説明は省略するが、この実施の形態では、ブラシ部３とブラシカバー４とに螺旋状のコイル１２０を設け、螺旋状のコイル１２０をブラシ体２ｆに螺旋状に配置している。
【００７３】
螺旋状のコイル１２０は、金属または樹脂のスプリングコイルを用いているが、スプリングのコイルでなく金属または樹脂、あるいは紐などの線状部材でもよい。この螺旋状のコイル１２０は、スプリングコイルの場合はブラシ部３の先端部から回転しながら挿入して取り付けるが、スプリングのコイルでなく例えば線状部材の場合には、ブラシ部３とブラシカバー４とに螺旋状に巻き付けて設ける。
【００７４】
ブラシ部３とブラシカバー４とに螺旋状のコイル１２０を設け、螺旋状のコイル１２０をブラシ体２ｆに螺旋状に配置することで、螺旋状のコイル１２０の太さによってブラシ体２ｆに螺旋状の溝ができて区分けされ、あるいは螺旋状のコイル１２０によってブラシ体２ｆの根元に螺旋状の隙間ができる。
【００７５】
この実施の形態では、ブラシ部３とブラシカバー４とに螺旋状のコイル１２０を設けているが、ブラシ部３に螺旋状のコイル１２０を設けてブラシカバー４を取り付けてもよい。
（ブラシ具の使用）
この実施の形態のブラシ具１は、螺旋状のコイル１２０をブラシ体２ｆに螺旋状に配置することで、螺旋状のコイル１２０の太さによってブラシ体２ｆに螺旋状の溝ができて区分けされ、あるいは螺旋状のコイル１２０によってブラシ体２ｆの根元に螺旋状の隙間ができることから、洗浄や塗布を行う際に、液がブラシ体２ｆに形成された螺旋状の溝やブラシ体２ｆの根元に螺旋状の隙間に沿って流れて確実に洗浄したり、塗布することができる。
【００７６】
また、ブラシ体２ｆは、螺旋状のコイル１２０上が空間となり、植毛ブラシでは植毛されていない部分が空間となり、この空間が隙間となり、このブラシ体２ｆは一列で、例えば幅が３．０ｍｍ以下の薄いことから、ブラシ体２ｆも細い髪の毛や眉毛やまつ毛も入りやすく、同時に空間があることで同じ毛部であっても人毛が入りやすく、より確実に洗浄したり、塗布することができる。
［第５の実施の形態］
（ブラシ具の構成）
この第５の実施の形態のブラシ具を、図８乃至図１０に基づいて説明する。この実施の形態のブラシ具１は、ブラシ部１２と、握り軸１３と、ブラシカバー１４とを備え、握り軸１３は樹脂で一体成形され、ブラシカバー１４は樹脂でブラシ部１２及び摘み軸１３とは別体成形されるが、これらはアルミニウム合金などの軽金属、あるいは木材などで成形してもよい。
【００７７】
ブラシ部１２は、握り軸１３から先方に突出させるように取り付け、握り軸１３から周囲外方に多数のブラシ毛材でなるブラシ体１２ｆを突出させることによりブラシ本体１２ａを形成している。
【００７８】
ブラシ本体１２ａは、１本のステンレス線を折り返すことにより、一対の線材１２ｂ及び１２ｃを用意し、線材１２ｂ及び１２ｃの間に合成樹脂材料（ナイロン、テトロン、ポリエステル、ＰＰ等）でなるブラシ体１２ｆを配設し、この状態で線材１２ｂ及び１２ｃの折り返し点を固定し、この両端をねじることにより、互いにねじり合わされた線材１２ｂ及び１２ｃ間に形成される螺旋状に多数のブラシ体１２ｆを挟着保持してなり、ブラシ体１２ｆは、捩りブラシである。
【００７９】
ブラシ体１２ｆの太さは、例えばナイロン、ポリエステルの糸をカットしたまま使用する使う時、特に化粧品メイキャップブラシに使う時は、直径０．１６ｍｍまでとし、糸の先を針状加工した糸は直系０．１１ｍｍまでとする。
【００８０】
ブラシカバー１４は、筒状であり、取付部１４ｂとカバー部１４ｃとを有し、樹脂でブラシ部１２が挿入可能な形状に一体成形されるが、ゴム、アルミニウム合金などの軽金属、あるいは木材などで成形してもよい。カバー部１４ｃは、ブラシ軸方向に延びる開口部１４ｃ１０と、この開口部１４ｃ１０を形成する側壁１４ｃ１１，１４ｃ１２を含み、側壁１４ｃ１１，１４ｃ１２は、開口部１４ｃ１０から突出するブラシ体１２ｆをブラシ軸方向に列になるように寄せる構造である。
【００８１】
取付部１４ｂは、筒状に形成され、この取付部１４ｂに握り軸１３が挿入可能になっている。また、取付部１４ｂの一部に環状凹み部１４ｂ１が形成され、この環状凹み部１４ｂ１の位置に打ち込みで回転防止の突起部１４ｂ２を形成する。
【００８２】
カバー部１４ｃは、取付部１４ｂの先端に連続して一体に成形され、カバー部１４ｃの径は取付部１４ｂの径より小径になってブラシ部１２が挿入可能な大きさになっている。カバー部１４ｃの先端部１４ｃ３は閉塞され、この先端部１４ｃ３に半球状の凹み部１４ｃ４が形成され、この凹み部１４ｃ４にブラシ部１２の線材１２ｂ及び１２ｃの先端が嵌合して支持される。
【００８３】
カバー部１４ｃの外周には、周方向の溝１４ｃ１、周方向の突条１４ｃ２を有し、周方向の突条１４ｃ２によって、この周方向の突条１４ｃ２の間に周方向の溝１４ｃ１が形成されているが、カバー部１４ｃの外周に周方向の溝１４ｃ１、または周方向の突条１４ｃ２のみを形成してもよい。
【００８４】
カバー部１４ｃには、ブラシ軸方向に直線状に所定幅の開口部１４ｃ１０が形成され、この開口部１４ｃ１０によって、開口部１４ｃ１０の両側に側壁１４ｃ１１，１４ｃ１２が形成される。カバー部１４ｃにブラシ部１２を挿入すると、ブラシ体１２ｆの一部が挿入方向に倒れ、開口部１４ｃ１０の部分に位置するブラシ体１２ｆの一部が開口部１４ｃ１０から突出して立ち上がり、このブラシ体１２ｆの一部は、側壁１４ｃ１１，１４ｃ１２によってブラシ軸方向に列になるように寄せる。
【００８５】
この実施の形態では、カバー部１４ｃにブラシ軸方向に直線状に所定幅の開口部１４ｃ１０が１列に形成されているが、２列でも、３列でもよく、さらに４列以上でもよく、この列の数によってブラシ体１２ｆのブラシ軸方向の列が決定される。
【００８６】
また、ブラシ体１２ｆの一部が開口部１４ｃ１０から突出して立ち上がるが、開口部１４ｃ１０の幅によって立ち上がるブラシ体１２ｆの数が決まり、開口部１４ｃ１０の幅が大きくなるとブラシ体１２ｆが多量に立ち上がり、ブラシ体１２ｆの多いい円弧状ブラシとなる。
【００８７】
また、ブラシ体１２ｆの毛量が多すぎる時は、カバー部１４ｃにブラシ先を挿入させると同時に、余分なブラシ体１２ｆをカバー部１４ｃ内に溜め込み保持する。或る程度の毛量の巾を求めるブラシ体１２ｆの時は、カバー部１４ｃの開口部１４ｃ１０の口元のテーパー部による誘導により開口部１４ｃ１０の広い分のブラシ体１２ｆが溝１４ｃ１内に入ると、その広い分のブラシ体１２ｆは溝１４ｃ１の側壁１４ｃ１１，１４ｃ１２に当たって内側中心に向かって倒れるから、ブラシ中心が高く外側に向かって低くなる。
（ブラシ具の使用）
この実施の形態のブラシ具１１は、ブラシ体１２ｆは、捩りブラシであり、捩りブラシはスカラブラシのようにワイヤーの間に毛を挟んでスパイラル状に巻くものである。
【００８８】
ブラシカバー１４の開口部１４ｃ１０からブラシ体１２ｆの一部が開口部１４ｃ１０から突出して立ち上がるが、側壁１４ｃ１１，１４ｃ１２によってブラシ軸方向に列になるように寄せ、ブラシ体１２ｆがそれ以上倒れないように支持され、洗浄時や塗布時に液が飛散することを防止できる。また、ブラシ体１２ｆがブラシ軸方向に列になるように延びることから、確実に洗浄したり、塗布することができる。また、ブラシカバー１４を着脱可能にすると、ブラシカバー１４やブラシ体１２ｆが汚れた時に、ブラシカバー１４を外して容易にブラシカバー１４やブラシ体１２ｆを洗浄することができる。
［第６の実施の形態］
（ブラシ具の構成）
この第６の実施の形態のブラシ具を、図１１乃至図１３に基づいて説明する。この実施の形態のブラシ具１は、ブラシ部２２と、握り軸２３と、ブラシカバー２４とを備え、握り軸２３は樹脂で一体成形され、ブラシカバー２４は樹脂でブラシ部２２及び握り軸２３とは別体成形されるが、これらはアルミニウム合金などの軽金属、あるいは木材などで成形してもよい。ブラシ部２２は、図８乃至図１０の実施の形態と同様に構成されるから同じ符号を付して説明を省略する。
【００８９】
握り軸２３は、取付部２３ａを有し、この取付部２３ａは断面形状が四角状に形成され、同様に断面形状が四角状に形成された握り軸２３の先端より段状にして小さく形成されている。握り軸２３の両の側部には、取付部２３ａ側の位置にガイド溝２３ｂが形成されている。このガイド溝２３ｂは、握り軸２３の下側から中央部に延び、さらに中心の位置で軸方向に取付部２３ａから離れる方向に延び、延びた先端部に溝より浅い突部２３ｂ１により係合凹み２３ｂ２が形成され、また、ガイド溝２３ｂの下側から中央部に延びる入り部２３ｂ３が溝より浅い突部２３ｂ４により形成されている。
【００９０】
ブラシカバー２４は、カバー本体２４ａが取付部２４ｂとカバー部２４ｃとを有し、樹脂でブラシ部２２が挿入可能な形状に一体成形されるが、ゴム、アルミニウム合金などの軽金属、あるいは木材などで成形してもよい。カバー部２４ｃは、開口部２４ｃ２を有し、開口部２４ｃ２は側壁２４ｃ１１，２４ｃ１２によって形成され、ブラシカバー２４の取り付けにより、開口部２４ｃ２からブラシ体１２ｆが突出し、側壁２４ｃ１１，２４ｃ１２によってブラシ軸方向に列になるように寄せる構造である。カバー部２４の開口部２４ｃ２は、ブラシ軸方向に直線状に所定幅で形成され、側壁２４ｃ１１，２４ｃ１２の先端部２４ｃ３は櫛状である。
【００９１】
取付部２４ｂは、対向する一対の側壁２４ｂ１の間にスリット２４ｂ２が形成され、一対の側壁２４ｂ１の先端側の内側に円状突起２４ｂ３が形成され、カバー部２４ｃ側にはつば部２４ｂ４が形成されている。
【００９２】
ブラシカバー２４は、取付部２４ｂの円状突起２４ｂ３をガイド溝２３ｂの入り部２３ｂ３から突部２３ｂ４を超えるようにしてガイド溝２３ｂに沿って入れ、円状突起２４ｂ３を突部２３ｂ１を超えるようにして係合凹み２３ｂ２に嵌め込み、ブラシカバー２４を握り軸２３の取付部２３ａに取り付ける。
【００９３】
このブラシカバー２４の取付によって、カバー部２４ｃの所定幅の開口部２４ｃ２にブラシ部１２が挿入され、ブラシ体１２ｆの一部が挿入方向に倒れ、開口部２４ｃ２の部分に位置するブラシ体１２ｆの一部が開口部２４ｃ２から突出して立ち上がり、このブラシ体１２ｆの一部は、側壁２４ｃ１１，２４ｃ１２によってブラシ軸方向に列になるように寄せる。
（ブラシ具の使用）
この実施の形態のブラシ具１は、ブラシ体１２ｆが捩りブラシであり、ブラシカバー２４の取付により、ブラシ体１２ｆの一部が開口部２４ｃ２から突出して立ち上がり、このブラシ体１２ｆの一部は、側壁２４ｃ１１，２４ｃ１２によってブラシ軸方向に列になるように寄せ、側壁２４ｃ１１，２４ｃ１２はブラシ体１２ｆがそれ以上倒れないように支持し、洗浄時や塗布時に液が飛散することを防止できる。また、ブラシ体１２ｆがブラシ軸方向に列になるように延びることから、確実に洗浄したり、塗布することができる。
【００９４】
また、ブラシカバー１４やブラシ体１２ｆが汚れた時には、ブラシカバー１４を、ブラシカバー２４を先端側に引き、円状突起２４ｂ３を係合凹み２３ｂ２から外し、ブラシカバー１４をブラシ体１２ｆから外すことで、容易にブラシカバー１４やブラシ体１２ｆを洗浄することができる。さらに、ブラシカバー１４を下方に引くことで、円状突起２４ｂ３を入り部２３ｂ３から外してブラシカバー１４やブラシ体１２ｆを交換したり、洗浄することができる。
【００９５】
［第７の実施の形態］
（ブラシ具の構成）
この第７の実施の形態のブラシ具を、図１４に基づいて説明する。この実施の形態のブラシ具１は、ブラシ部３２と、握り軸３３と、ブラシカバー３４とを備え、仕切り板３５を握り軸３３の先端部に一体に成形し、仕切り板３５及び握り軸３３は、樹脂で一体成形され、ブラシカバー３４は樹脂で仕切り板３５及び握り軸３３とは別体成形されるが、これらはアルミニウム合金などの軽金属、あるいは木材などで成形してもよい。
【００９６】
仕切り板３５は、握り軸３３の先端部からブラシ軸方向に延びており、櫛状に形成されているが、平らな板状でもよい。
【００９７】
ブラシ部３２は、図８乃至図１０の実施の形態と同様に構成されるから同じ符号を付して説明を省略する。
【００９８】
握り軸３３は、その先端部にブラシ取付部３３ａとカバー取付部３３ｂとを有する。ブラシ取付部３３ａの挿入穴３３ａ１に、ブラシ部３２の線材１２ｂ及び１２ｃの基部を挿入して取り付ける。また、カバー取付部３３ｂには凹み部３３ｂ１が形成されている。
【００９９】
ブラシカバー３４は、取付部３４ａとカバー部３４ｂとを有する。取付部３４ａは、一部が開口した筒状であり、カバー取付部３３ｂの凹み部３３ｂ１に嵌め込み取り付ける。カバー部３４ｂは、取付部３４ａからブラシ軸方向に延びるように形成され、ブラシ軸方向に対して直交方向の断面形状はＵ字状である。
【０１００】
この実施の形態では、Ｕ字状を形成する対向する一対の側壁３４ｂ１１，３４ｂ１２の間にブラシ軸方向に直線状に所定幅の開口部３４ｂ２１が形成され、一対の側壁３４ｂ１１，３４ｂ１２の先端部３４ｂ３１，３４ｂ３２は櫛状であるが、櫛状でなく、平らな板状でもよい。
【０１０１】
ブラシカバー３４は、取り付けにより、一対の側壁３４ｂ１１，３４ｂ１２は、開口部３４ｂ２から突出するブラシ体１２ｆをブラシ軸方向に列になると共に、仕切り板３５の方向へ寄せる構造であり、ブラシカバー３４は、樹脂でブラシ部３２が挿入可能な形状に一体成形されるが、ゴム、アルミニウム合金などの軽金属、あるいは木材などで成形してもよい。
【０１０２】
カバー部３４ｂの側壁３４ｂ１１，３４ｂ１２の先端部は、櫛状に形成されているが、平らな板状でもよく、またカバー部３４ｂの外周は周方向の溝状に形成されているが、平面形状でもよい。
【０１０３】
ブラシカバー２４の取付は、カバー部３４ｂの先端部３４ｂ２を先に、ブラシ部３２の線材１２ｂ及び１２ｃの先端部に係合し、その後に取付部３４ａをカバー取付部３３ｂの凹み部３３ｂ１に嵌め込み取り付ける。      
【０１０４】
このブラシカバー３４の取付によって、カバー部３４ｂの所定幅の開口部３４ｂ２１にブラシ部３２が挿入され、ブラシ体１２ｆの一部が挿入方向に倒れ、開口部３４ｂ２１の部分に位置するブラシ体１２ｆの一部が開口部３４ｂ２１から突出して立ち上がり、このブラシ体１２ｆの一部は、側壁３４ｂ１１，３４ｂ１２によってブラシ軸方向に列になるように仕切り板３５の方向へ寄せる。仕切り板３５は、ブラシ軸方向に伸びてブラシ体１２ｆを２区分けして仕切る。
【０１０５】
この実施の形態では、仕切り板３５を握り軸３３に一体に成形し、ブラシ部３２を握り軸３３に取り付け、ブラシカバー３４の取り付けにより仕切られるブラシ体１２ｆを側壁３４ｂ１１，３４ｂ１２によって仕切り板３５の方向へ寄せることで、容易にブラシ体１２ｆを仕切り板３５の方向へ寄せることができる。仕切り板３５は、１個に限らず複数個形成することができ、ブラシ体１２ｆが仕切り板３５を挟み込み、ブラシ断面を扇型にすることができる。
（ブラシ具の使用）
この実施の形態のブラシ具３１は、ブラシ体１２ｆが捩りブラシであり、ブラシカバー３４の取付によって、ブラシ体１２ｆの一部は、側壁３４ｂ１１，３４ｂ１２によってブラシ軸方向に列になるように仕切り板３５の方向へ寄せ、ブラシ体１２ｆがそれ以上倒れないように支持され、洗浄時や塗布時に液が飛散することを防止できる。また、仕切り板３５がブラシ軸方向に延びてブラシ体１２ｆを区分けして仕切ることから、例えばまつ毛にブラシ軸方向を合わせて剥くようにして洗浄や塗布を行うと、このとき洗浄や塗布が仕切られたブラシ体１２ｆによって複数段になり、確実に洗浄したり、塗布することができる。
【０１０６】
また、ブラシカバー３４のカバー部３４ｂの側壁３４ｂ１１，３４ｂ１２の先端部が、櫛状に形成されている場合やカバー部３４ｂの外周が周方向の溝状に形成されている場合にも、例えばまつ毛にブラシ軸方向を合わせて剥くようにして洗浄や塗布を行うことができる。
【０１０７】
また、ブラシカバー３４がブラシ部３２に着脱可能であり、ブラシカバー３４の内側やブラシ体１２ｆ自体が汚れた時には、ブラシカバー３４をブラシ部３２から取り外して容易にブラシカバー３４やブラシ体１２ｆを洗浄することができる。
［第８の実施の形態］
この第８の実施の形態のブラシ具を、図１５に基づいて説明する。この実施の形態のブラシ具１は、仕切り板を設けないで、握り軸４３は、その先端部にブラシ取付部４３ａとカバー取付部４３ｂとを有する。ブラシ取付部４３ａに、ブラシ部４２の線材１２ｂ及び１２ｃの基部を挿入して取り付ける。
【０１０８】
ブラシカバー４４は、取付部４４ａとカバー部４４ｂとを有し、ブラシカバー４４の取付は、カバー部４４ｂの先端部４４ｂ２を先に、ブラシ部４２の線材１２ｂ及び１２ｃの先端部に係合し、その後に取付部４４ａをカバー取付部４３ｂに嵌め込み取り付ける。
【０１０９】
このブラシカバー４４の取付によって、カバー部４４ｂの所定幅の開口部４４ｂ３にブラシ部４２が挿入され、ブラシ体１２ｆの一部が挿入方向に倒れ、開口部４４ｂ３の部分に位置するブラシ体１２ｆの一部が開口部４４ｂ３から突出して立ち上がり、このブラシ体１２ｆの一部は、側壁４４ｂ１１，４４ｂ１２によってブラシ軸方向に列になるように寄せる。
【０１１０】
この実施の形態では、ブラシ部４２を握り軸４３に取り付け、ブラシカバー４４の取り付けによりブラシ体１２ｆを容易にブラシ軸方向に列になるように寄せることができる。［第９の実施の形態］
この第９の実施の形態のブラシ具を、図１６に基づいて説明する。この実施の形態のブラシ具１は、ブラシ部４２をブラシカバー４４に取り付けてブラシ体１２ｆをブラシ軸方向に列になるように寄せ、ブラシ部４２及びブラシカバー４４を摘み軸４３に取り付ける。
【０１１１】
この実施の形態では、ブラシ部４２をブラシカバー４４に取り付けてブラシ部４２のブラシ体１２ｆをブラシ軸方向に列になるように寄せることで、簡単にブラシ部４２及びブラシカバー４４を握り軸４３に取り付けることができる。
［第１０の実施の形態］
この第１０の実施の形態のブラシ具を、図１７に基づいて説明する。この実施の形態のブラシ具１では、液止め部６２とブラシカバー６３とを一体に成形し、図１７（ａ）の実施の形態では、ブラシカバー６３の側壁６３ａによって開口部６３ｂを形成し、この開口部６３ｂの幅が狭く、側壁６３ａによってブラシ体１２ｆがブラシ軸方向に１列になるように寄せ、図１７（ｂ）の実施の形態では、ブラシカバー６３の側壁６３ａは、幅が広く形成され、開口部６３ｂから突出るブラシ体１２ｆが扇状に広がり、側壁６３ａによってブラシ軸方向に１列になるように寄せている。この実施の形態では、液止め部６２とブラシカバー６３とを一体に成形したことで、簡単な構造で、確実に液が握り軸側に流れることを規制することができる。
［第１１の実施の形態］
この第１１の実施の形態のブラシ具を、図１８乃至図２２に基づいて説明する。図１８の実施の形態では、図１８（ａ）の放射状のブラシ体１０１ａのブラシ部１０１を、図１８（ｂ）の皿状のブラシカバー８１に取り付け、また図２０（ｃ）の一部を開口したパイプ状のブラシカバー９１に取り付け、放射状のブラシ体１０１ａが密集するようにしている。
【０１１２】
図１９の実施の形態では、図１９（ａ）の放射状のブラシ体１０２ａの一部を直線状に切断したブラシ部１０２を、図１９（ｂ）の皿状のブラシカバー８１に取り付け、また図１９（ｃ）の一部を開口したパイプ状のブラシカバー９１に取り付け、放射状のブラシ体１０２ａが密集しないようにしている。
【０１１３】
図２０の実施の形態では、図２０（ａ）の放射状のブラシ体１０３ａの一部をＵ字状に切断したブラシ部１０３を、図２０（ｂ）の皿状のブラシカバー８１に取り付け、また図２０（ｃ）の一部を開口したパイプ状のブラシカバー９１に取り付け、放射状のブラシ体１０３ａがさらに密集しないようにしている。
【０１１４】
図２１の実施の形態では、図２１（ａ）の放射状のブラシ体１０４ａの一部を３方向に直線状に切断したブラシ部１０４を、図２１（ｂ）の皿状のブラシカバー８１に取り付け、また図２１（ｃ）の一部を開口したパイプ状のブラシカバー９１に取り付け、放射状のブラシ体１０４ａが側部に突出しないようにしている。
【０１１５】
図２２の実施の形態では、図２２（ａ）の放射状のブラシ体１０５ａの一部を三角形状に切断したブラシ部１０５を、図２２（ｂ）の皿状のブラシカバー８１に取り付け、また図２２（ｃ）の一部を開口したパイプ状のブラシカバー９１に取り付け、放射状のブラシ体１０５ａがさらに側部に突出しないようにしている。
【０１１６】
この放射状のブラシ体１０５ａは、切断しての山形形状であり、カット面が斜めに山のスロープになるから、塗布や洗浄では滑りが良すぎるが、ブラシカバー８１，９１によるブラシ体１０５ａの山形はナイロンやポリエステルの糸をカットしたそのままを毛の長短で山形にしていることでカット面が鋭角となっていて、特に洗浄や塗布の時はこの鋭角が洗浄や塗布の効果を生む結果となっている。また、放射状のブラシ体１０５ａの山形の利点としては、使用の前後左右等の往復使用においてどちらの使い方をしても求める洗浄や塗布の効果が同じになる。
［第１２の実施の形態］
（ブラシ具の構成）
この第１２の実施の形態のブラシ具を、図２３に基づいて説明する。この実施の形態のブラシ具１は、図８乃至図１０の実施の形態と同様に形成されるから、同じ符号を付して詳細な説明は省略するが、この実施の形態では、ブラシ部１２とブラシカバー１４とに螺旋状のコイル１２０を設け、螺旋状のコイル１２０をブラシ体１２ｆに螺旋状に配置している。
【０１１７】
螺旋状のコイル１２０は、図７の実施の形態と同様に構成され、螺旋状のコイル１２０をブラシ体１２ｆに螺旋状に配置することで、螺旋状のコイル１２０の太さによってブラシ体１２ｆに螺旋状の溝ができて区分けされ、あるいは螺旋状のコイル１２０によってブラシ体１２ｆの根元に螺旋状の隙間ができる。
（ブラシ具の使用）
この実施の形態のブラシ具１２１は、螺旋状のコイル１２０をブラシ体１２ｆに螺旋状に配置することで、螺旋状のコイル１２０の太さによってブラシ体１２ｆに螺旋状の溝ができて区分けされ、あるいは螺旋状のコイル１２０によってブラシ体１２ｆの根元に螺旋状の隙間ができることから、洗浄や塗布を行う際に、液がブラシ体１２ｆに形成された螺旋状の溝やブラシ体１２ｆの根元に螺旋状の隙間に沿って流れて確実に洗浄したり、塗布することができる。
【産業上の利用可能性】
【０１１８】
この発明は、特に人の目の周囲に塗布された化粧用の塗布液などを簡便に洗浄でき、また特に塗布液を塗布対象毛に塗布する場合に適用して好適なブラシ具に適用可能である。
【符号の説明】
【０１１９】
１  ブラシ具
２  ブラシ部
２ａ  ブラシ部本体
２ｂ  ブラシ部本体２ａの基部
２ｃ  ブラシ部本体２ａの支持部
２ｄ  仕切り板
２ｅ  植毛穴
２ｆ  ブラシ体
３  握り軸
３ａ  握り軸３の先端部
３ｃ  液止め部
４  ブラシカバー
４ａ  カバー本体
４ａ１  側壁
４ａ１０  開口部
【図１】
2011156198.tif 000003
【図２】
2011156198.tif 000004
【図３】
2011156198.tif 000005
【図４】
2011156198.tif 000006
【図５】
2011156198.tif 000007
【図６】
2011156198.tif 000008
【図７】
2011156198.tif 000009
【図８】
2011156198.tif 000010
【図９】
2011156198.tif 000011
【図１０】
2011156198.tif 000012
【図１１】
2011156198.tif 000013
【図１２】
2011156198.tif 000014
【図１３】
2011156198.tif 000015
【図１４】
2011156198.tif 000016
【図１５】
2011156198.tif 000017
【図１６】
2011156198.tif 000018
【図１７】
2011156198.tif 000019
【図１８】
2011156198.tif 000020
【図１９】
2011156198.tif 000021
【図２０】
2011156198.tif 000022
【図２１】
2011156198.tif 000023
【図２２】
2011156198.tif 000024
【図２３】
2011156198.tif 000025